(57)【特許請求の範囲】
【請求項１】
建物が備える円弧状に湾曲した出隅部又は入隅部と軒天との間に設けられる軒天見切部材であって、
複数の本体部と、
該複数の本体部の下面を覆うように前記複数の本体部に取り付けられ、前記出隅部又は前記入隅部に沿って湾曲した板状の化粧部と、を備え、
前記複数の本体部は、それぞれ前記化粧部が取り付けられる部位として直線的に延在する被取付部を有し、
前記複数の本体部の前記被取付部は、湾曲した前記出隅部又は前記入隅部に沿って連なるように円弧状に配置されており、
隣接する前記被取付部同士を隔てている当接部の延長線上にある所定点が、その他の隣接する前記被取付部同士を隔てている当接部の延長線上に位置する位置関係となっていることを特徴とする軒天見切部材。
【請求項２】
前記本体部と前記建物の一部とを連結する連結部材をさらに備え、
該連結部材は、直線的に延在して形成されており、
前記連結部材と、前記本体部の前記被取付部とが、前記建物の外側に向かって同一方向に延在するように形成されていることを特徴とする請求項１に記載の軒天見切部材。
【請求項３】
前記連結部材における前記本体部に接続される端部は、断面略Ｕ字状に形成されており、
前記本体部は、断面略Ｕ字状の前記端部を収容する収容部を有することを特徴とする請求項２に記載の軒天見切部材。
【請求項４】
請求項１乃至３のいずれか一項に記載の軒天見切部材が前記建物に取り付けられていることを特徴とする軒天構造。
【請求項５】
前記軒天見切部材の上方であって、前記出隅部又は前記入隅部の上端側に、他の部位よりも前記軒天見切部材が取り付けられている側に突出する返し部材が取り付けられていることを特徴とする請求項４に記載の軒天構造。
【発明の詳細な説明】
【技術分野】
【０００１】
本発明は、軒天見切部材及び軒天構造に係り、特に、湾曲した出隅部又は入隅部に取り付けられる軒天見切部材、及び軒天見切部材を備える軒天構造に関する。
【背景技術】
【０００２】
従来から、曲面状の出隅部又は入隅部を建物に用いて、略直角の一般的な出隅部又は入隅部よりも意匠性を高める技術が知られている。そして、曲面状の出隅部について、コストを低減しつつ、強度を高める技術として、例えば、特許文献１には、出隅部に湾曲した薄手の板を用いつつ、その薄手の板に、上下に延びる突条を設けることによっての剛性を高める技術が開示されている。
【先行技術文献】
【特許文献】
【０００３】
【特許文献１】特開平１１−１５９０９９号公報
【発明の概要】
【発明が解決しようとする課題】
【０００４】
出隅部又は入隅部の上部において、軒天と湾曲した出隅部又は入隅部との間に軒天見切部材を設けるときには、美観の面や屋内への防水の面等から、湾曲した出隅部又は入隅部に沿うように軒天見切部材を湾曲した形状に形成することが好ましい。
しかしながら、軒天見切部材は、軒裏天井材を避けて、出隅部又は入隅部に対して突出する軒天に取り付ける必要があるために、平面的な形状ではなく、立体形状に形成する必要がある。このため、出隅部又は入隅部に沿うように湾曲した形状を含む軒天見切部材を製造するにはコストがかかっていた。
【０００５】
本発明は、上記実情に鑑みてなされたものであり、製造コストを低減することが可能な軒天見切部材、及び軒天見切部材を備える軒天構造を提供することにある。
【課題を解決するための手段】
【０００６】
前記課題は、本発明に係る軒天見切部材によれば、建物が備える円弧状に湾曲した出隅部又は入隅部と軒天との間に設けられる軒天見切部材であって、複数の本体部と、該複数の本体部の下面を覆うように前記複数の本体部に取り付けられ、前記出隅部又は前記入隅部に沿って湾曲した板状の化粧部と、を備え、前記複数の本体部は、それぞれ前記化粧部が取り付けられる部位として直線的に延在する被取付部を有し、前記複数の本体部の前記被取付部は、湾曲した前記出隅部又は前記入隅部に沿って連なるように円弧状に配置されており、隣接する前記被取付部同士を隔てている当接部の延長線上にある所定点が、その他の隣接する前記被取付部同士を隔てている当接部の延長線上に位置する位置関係となっていることによって解決される。
【０００７】
上記構成によれば、軒天見切部材が湾曲した化粧部と複数の本体部を備え、本体部が、直線的に延在する被取付部を有し、複数の本体部の被取付部が円弧状に配置されている。このため、化粧部のみを湾曲した形状にして、化粧部と別の構成部である本体部の被取付部を直線的に形成できることで、本体部を含む全てを湾曲させるよりも、成形性が良好となり製造コストを低減でき、軒天見切部材が、出隅部又は入隅部に沿って湾曲した化粧部を備えることにより湾曲した出隅部又は入隅部と軒天との間の見栄えをよくすることができる。
【０００８】
また、前記本体部と前記建物の一部とを連結する連結部材をさらに備え、該連結部材は、直線的に延在して形成されており、前記連結部材と、前記本体部の前記被取付部とが、前記建物の外側に向かって同一方向に延在するように形成されていてもよい。
上記構成によれば、本体部とは別に、連結部材が設けられていることで、軒天見切部材をより複雑な形状にできるとともに、連結部材が、直線的に延在して形成されていることで、湾曲して形成されたものよりも製造が容易となる。
【０００９】
さらに、前記連結部材における前記本体部に接続される端部は、断面略Ｕ字状に形成されており、前記本体部は、断面略Ｕ字状の前記端部を収容する収容部を有していてもよい。
上記構成によれば、連結部材における本体部に接続される端部が断面略Ｕ字状を有して形成されていることで、弾性変形させて収容部に収容させやすくなり、さらに、本体部の収容部に収容された状態において、その復元力により、相互の接続状態を維持しやすくできる。
【００１０】
前記課題は、本発明に係る軒天構造によれば、前記軒天見切部材が前記建物に取り付けられていることにより解決される。
上記構成によれば、軒天構造が軒天見切部材から構成されるため、湾曲した出隅部又は入隅部と軒天との間の軒天見切部分の製造コストを低減することができる。
【００１１】
また、前記軒天見切部材の上方であって、前記出隅部又は前記入隅部の上端側に、他の部位よりも前記軒天見切部材が取り付けられている側に突出する返し部材が取り付けられていると好ましい。
上記構成によれば、出隅部又は入隅部の上端側に返し部材が取り付けられていることで、軒天見切部材の隙間を通って浸入してきた水がさらに屋内側に浸入することを抑制できる。
【発明の効果】
【００１２】
本発明によれば、軒天見切部材が湾曲した化粧部と複数の本体部を備え、本体部が、直線的に延在する被取付部を有し、複数の本体部の被取付部が円弧状に配置されている。このため、化粧部のみを湾曲した形状にして、化粧部と別の構成部である本体部の被取付部を直線的に形成できることで、本体部を含む全てを湾曲させるよりも、成形性が良好となり製造コストを低減でき、軒天見切部材が、出隅部又は入隅部に沿って湾曲した化粧部を備えることにより湾曲した出隅部又は入隅部と軒天との間の見栄えをよくすることができる。
【図面の簡単な説明】
【００１３】
【図１】本実施形態に係る出隅部と出隅部の上部にある軒天を示す模式的な斜視図である。
【図２】軒裏天井材を外した状態の軒天を示す模式的な斜視図である。
【図３】図２のIII-III断面を示す模式的な断面矢視図である。
【図４】図２のIV-IV断面を示す模式的な断面矢視図である。
【図５】変形例に係る入隅部に取り付けられた軒天見切部材を説明する模式図である。
【発明を実施するための形態】
【００１４】
以下、湾曲した出隅部又は入隅部に取り付けられる軒天見切部材、及び軒天見切部材を備える軒天構造の一実施形態について図面を参照しながら説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００１５】
図１〜図４を参照して、本実施形態に係る建物Ｈが備える軒天３及び出隅部４周りの概略構成について説明する。ここで、図１は、本実施形態に係る出隅部４と出隅部４の上部にある軒天３を示す模式的な斜視図、図２は、軒裏天井材３ａを外した状態の軒天３を示す模式的な斜視図、図３は、図２のIII-III断面を示す模式的な断面矢視図、図４は、図２のIV-IV断面を示す模式的な断面矢視図である。
【００１６】
本実施形態に係る建物Ｈは、図１に示すように、垂直向きに隣接する外壁パネル２の間に出隅部４を備え、軒天３と出隅部４との間に、これらの境目の空間を目立たないようにする軒天見切部材１を備える。
出隅部４は、水平断面が略円弧状に湾曲するように形成されており、垂直に交差する向きに隣接する外壁パネル２を接続している。
【００１７】
［軒天見切部材について］
軒天見切部材１は、図２〜図４に示すように、アルミ板で形成された計４個の本体部１０，１１と、本体部１０，１１と建物Ｈの一部である妻梁７又は軒桁８とを連結する連結部材としての連結金具１２，１３と、本体部１０，１１を下方から覆う化粧部１６と、を備える。
【００１８】
２個の本体部１０は、軒天見切部材１の両端に設けられており、２個の本体部１１は、２個の本体部１０の間に並んで設けられている。
本体部１０と本体部１１とは、軒天見切部材１が取り付けられた状態において、外壁パネル２又は出隅部４に沿って延在する長さが異なるのみであるため、長さの長い本体部１１について主に説明する。
【００１９】
本体部１１は、図４に示すように、出隅部４に取り付けられる断面コの字状の取付端１１ａと、取付端１１ａから傾斜して延在する傾斜部１１ｂと、傾斜部１１ｂから水平方向に屋外側に延在し、化粧部１６が取り付けられる被取付部１１ｃと、連結金具１３の本体側端部１３ｄが収容される収容部１１ｘと、から主に構成されている。これらの本体部１１の構成部分は、それぞれ、被取付部１１ｃが延在する方向と同一方向に直線的に延在するように形成されている。
【００２０】
取付端１１ａは、本体部１１の端部を出隅部４から屋外側に突出する隙間隠し材９に取り付けるためのものであり、隙間隠し材９を上下から挟んで取付可能なように、鉛直断面がコの字状に形成されている。
傾斜部１１ｂは、後述する連結金具１３の本体側端部１３ｄについての収容部１１ｘの収容に適した位置に、後述する被取付部１１ｃが位置するように、傾斜して被取付部１１ｃに接続する部位である。傾斜部１１ｂは、取付端１１ａから斜め下方に傾斜して屋外側に向かって延在している。
【００２１】
被取付部１１ｃは、図３に示すように、本体部１０の下面を形成する部位である。被取付部１１ｃの上下面は、内周側（屋内側）が短辺、外周側（屋外側）が長辺の等脚台形状に形成されている。なお、本体部１０の被取付部１０ｃの上下面は、内周側が短辺、外周側が長辺で、本体部１１に対向しない側の脚（換言すると、隙間隠し材９の端部側の脚）が短辺と長辺とに垂直である台形状に形成されている。隣接する本体部１０，１１における被取付部１０ｃと被取付部１１ｃ、又は被取付部１１ｃ同士には、これらの通りを矯正のための金具１４が取り付けられている。
【００２２】
収容部１１ｘは、底部を構成する上記の被取付部１１ｃと、被取付部１１ｃの一方側（屋外側）の端部から上方に立設する外側立設部１１ｄと、外側立設部１１ｄよりも他方側位（屋内側）にあり被取付部１１ｃから上方に立設する内側立設部１１ｆと、から主に構成されている。
【００２３】
詳細には、外側立設部１１ｄは、本体部１１が出隅部４に取り付けられている状態において、被取付部１１ｃの屋外側の端部から上方に立設している。
外側立設部１１ｄは、その上端において、内側立設部１１ｆ側に延在する外側押え部１１ｅを有する。この外側押え部１１ｅは、後述する本体側端部１３ｄの一部を上方から押さえつけて保持する機能を有する。
【００２４】
内側立設部１１ｆは、外側立設部１１ｄに対し、その間に本体側端部１３ｄを収容可能な間隔を空けて上方に立設している。
内側立設部１１ｆは、上側の部位において、外側立設部１１ｄ側に延在する内側押え部１１ｈを有する。この内側押え部１１ｈは、外側押え部１１ｅよりも低い位置（被取付部１１ｃに近い位置）において延在しており、本体側端部１３ｄの他の一部を上方から押さえつけて保持する機能を有する。
【００２５】
内側立設部１１ｆは、その上端において、傾斜部１１ｂ側に延在する水平支持部１１ｇを有する。この水平支持部１１ｇは、後述する下側水平部１３ｃの一部、及びインナージョイントされる軒裏天井材３ａを下方から支持する機能を有する。
【００２６】
２個の連結金具１２は、軒天見切部材１の両端であって本体部１０に対応する位置に設けられており、２個の連結金具１３は、２個の連結金具１２の間に並んで、本体部１１に対応する位置に設けられている。
連結金具１２と連結金具１３とは、軒天見切部材１が取り付けられた状態において、外壁パネル２又は出隅部４に沿って延在する長さが異なるのみであるため、長さの長い連結金具１３について主に説明する。
連結金具１３は、軒裏天井材３ａを挟んで、妻梁７又は軒桁８と本体部１１とを連結する金具であって、折り曲げられた鋼板により形成されている。連結金具１３は、図３及び図４に示すように、本体部１１よりも幅狭に形成されており、水平に延在する上側水平部１３ａと、上側水平部１３ａの中央近傍から下方に垂直に延在する鉛直部１３ｂと、鉛直部１３ｂの下端から水平に延在する下側水平部１３ｃと、本体側端部１３ｄと、から主に構成されている。
【００２７】
具体的には、上側水平部１３ａは、出隅部４に当接する建物側端部１３ａａと、建物側端部１３ａａから屋外側（建物側端部１３ａａから離間する方向）に延出して、中央近傍まで折り返されて屋外側の一部が板厚方向に重なるように形成されている。
上側水平部１３ａの屋外側における板厚方向に重ねられた部位の上部には、小孔１３ｆが形成されており、その下部には、小孔１３ｆの中心軸と同軸の中心軸を有する大孔１３ｅが形成されている。この二つの大孔１３ｅと小孔１３ｆとに取付ねじ６が通されて、妻梁７又は軒桁８にねじ込まれることによって、連結金具１３は、妻梁７又は軒桁８に取り付けられることとなる。特に、上側水平部１３ａの下部に大孔１３ｅ、上部に小孔１３ｆが形成されていることによって、下方から取付ねじ６を通し、小孔１３ｆの周囲の部分に取付ねじ６の座面を当接させて、座りよく取り付けることができる。
【００２８】
鉛直部１３ｂは、上側水平部１３ａの屋外側の端部よりも屋内側、特に中央部よりも屋内側から下方に延在している。このような位置から鉛直部１３ｂが延在していることにより、上側水平部１３ａの屋外側が下方から見て隠れるように、上側水平部１３ａの下方において軒裏天井材３ａの端部を鉛直部１３ｂ側に水平に入り込ませた状態で軒裏天井材３ａを取り付けることが可能となる。
【００２９】
下側水平部１３ｃは、鉛直部１３ｂの下端から屋外側に水平に延在している。
本体側端部１３ｄは、収容部１１ｘに収容されて保持される部位であり、下側水平部１３ｃの屋外側において下方に折り返されて屋内側に延在するように断面略Ｕ字状に屈曲して形成されている。このように本体側端部１３ｄが形成されていることで、作業者は、本体側端部１３ｄを下側水平部１３ｃ側に近づけるように弾性変形させてコンパクトにすることで、本体側端部１３ｄを収容部１１ｘに容易に収容することができる。さらに、下側水平部１３ｃ及び本体側端部１３ｄの弾性変形による復元力が、被取付部１１ｃ、外側立設部１１ｄ又は外側押え部１１ｅにおける下側水平部１３ｃ又は本体側端部１３ｄに当接する部位に加わることとなる。この復元力により収容部１１ｘによる本体側端部１３ｄの収容保持状態が安定することとなる。
【００３０】
本実施形態において、本体側端部１３ｄの先端側は、厳密には、屋内側の端部からさらに下方に折り返されて下側の部位が屋外側に延在しており、下側の部位と上側の部位が密着するように形成されている。このように形成されているのは、屋内側に突出する端部に丸みを付けるためのものであり、必ずしも必須の構成ではない。
【００３１】
上記の収容部１１ｘは、連結金具１３の本体側端部１３ｄを収容できればよく、必ずしも被取付部１０ｃ，１１ｃの全幅に亘って形成されている必要はなく、その大きさは任意である。
【００３２】
化粧部１６は、本体部１１の台形状に形成された被取付部１１ｃが下方に露出することを回避するためのものであり、出隅部４に沿って扇状に形成された板材である。化粧部１６は、本体部１１の下面である被取付部１１ｃに接着剤等によって取り付けられている。
化粧部１６の内周面１６ａは、出隅部４の外面の曲率と略同じ曲率で形成された円弧が上下に延在して形成される面である。このように化粧部１６は、内周面１６ａが円弧状に湾曲して形成されていることによって、本体部１１の下面に出隅部４に沿うように取り付けることが可能となる。
また、化粧部１６の外周面１６ｂは、内周面１６ａから等幅となるようにオフセットされて形成される面である。この外周面１６ｂは、台形状に形成された被取付部１１ｃが露出しないように、被取付部１１ｃの突出位置と同じか、被取付部１１ｃよりも屋外側に突出するように形成されている。
【００３３】
上記のように構成された軒天見切部材１の取り付け方としては、計４個の本体部１０，１１を、出隅部４の曲面に沿って連なるように円弧状に配置して隙間隠し材９に取り付ける。そして、計４個の連結金具１２，１３を、出隅部４の曲面に沿って連なるように円弧状に配置して妻梁７又は軒桁８に取り付ける。このように、本体部１０，１１及び連結金具１２，１３を、出隅部４の曲面に沿って連なるように円弧状に配置して取り付けることで、円弧状に配置された本体部１０，１１の被取付部１０ｃ，１１ｃに、扇状の化粧部１６を好適に取り付けることが可能となる。
【００３４】
上記のように、出隅部４に取り付けられる見切部材には、出隅部４に沿った曲面部分が美観のために必要となる。しかしながら、軒裏天井材３ａや、妻梁７又は軒桁８の取り付けのために、見切部材の全体に曲面に形成すると製造コストがかかる。
この点、上記構成による軒天見切部材１、及び軒天見切部材１が取り付けられた軒天構造によれば、軒天見切部材１の取り付けのために立体的形状となる本体部１０，１１や連結金具１２，１３に曲面部分を形成する必要がない。
つまり、本体部１０，１１及び連結金具１２，１３を直線的に形成することができるため、軒天見切部材１の構成部分の全てが円弧状に湾曲して形成されるものよりも、軒天見切部材１の成形性が良好となり、コストを低減させることができる。
そして、出隅部４に沿った内周面１６ａと等幅の外周面１６ｂとを有して、扇状に湾曲して形成された化粧部１６によって、直線的に形成された本体部１０，１１や連結金具１２，１３の下方からの露出を避けることができるため、見栄えをよくすることができる。
【００３５】
本実施形態においては、図３に示すように、本体部１０の被取付部１０ｃと、本体部１１の被取付部１１ｃとの当接部Ｃ１の延長線上にある点（中心点Ｃという。）が、本体部１１の隣接する被取付部１１ｃ同士の当接部Ｃ２の延長線上に位置する位置関係となっている。逆にいえば、中心点Ｃから放射状に延びる直線によって、被取付部１０ｃと被取付部１１ｃとが隔てられ、隣接する被取付部１１ｃ同士が隔てられるようにそれぞれが形成されている。
このように本体部１０，１１が形成されていることで、同様の形状で、当接部Ｃ２の延長線を含む鉛直面を中心として面対称にバランスよく配置することが可能となっている。このため、本体部１０，１１の部品を共通化しやすくなり、製造コストを低減することができる。
【００３６】
なお、上記実施形態においては、本体部１０，１１の数は計４個、連結金具１２，１３の数は計４個であるものとし、本体部１０又は本体部１１のそれぞれに、連結金具１２又は連結金具１３が取り付けられているものとして説明したが、その数は任意である。
【００３７】
［上部押え板について］
上記の軒天見切部材１を出隅部４に当接させることによって、下方からの見栄えをよくすることができる。そして、軒天見切部材１と出隅部４との間に、樹脂材料やスポンジ等を取り付けて、軒天３の内部に水分が入り込むことを防止している。しかし、例えば、図１に示すように出隅部４に、細かなリブが形成された凹凸のある柄である場合等には、樹脂材料やスポンジを挟み込むのみでは不十分であることがある。特に、強風・強雨時に吹き上げられた水は、化粧部１６と出隅部４との隙間から入り、本体部１０，１１、及び連結金具１２，１３が直線的に形成されていることもあり、これらの間から、より屋内に入り込みやすい構成となっている。
【００３８】
上記問題の解消のための軒天構造においては、出隅部４の上端に、返し部材としての上部押え板５が取り付けられている。
この上部押え板５は、出隅部４と化粧部１６との隙間を上方から覆うように、出隅部４の外面から軒天見切部材１が取り付けられている側（屋外側）に突出し、出隅部４の上端に当接して取り付けられている。
上部押え板５が取り付けられていることで、出隅部４と化粧部１６との隙間を通り、本体部１０，１１、及び連結金具１２，１３の間から入った水が、さらに屋内に浸入することを抑制することができる。
【００３９】
＜変形例＞
上記実施形態においては、湾曲した出隅部４に取り付けられる軒天見切部材１について説明したが、本発明は、出隅部４に取り付けられる軒天見切部材１に限定されず、例えば、円弧状に湾曲した入隅部２４に取り付けられる軒天見切部材１ａであってもよい。
変形例に係る軒天見切部材１ａについて、図５を参照して説明する。なお、図５は、変形例に係る入隅部２４に取り付けられた軒天見切部材１ａを説明する模式図である。
ここで、本変形例に係る軒天見切部材１ａの説明においては、上記実施形態に係る軒天見切部材１と異なる点を主に説明し、重複した説明を排除して、相違点を明確にする。
【００４０】
軒天見切部材１ａにおける化粧部２６は、化粧部１６と同じ扇状の形状を有し、湾曲した入隅部２４に沿う向きで取り付けられている。詳細には、化粧部２６は、本体部２０，２１の被取付部２０ｃ，２１ｃに取り付けられている。
本体部２０，２１は、本体部１０，１１と略同様の構成であるが、その被取付部２０ｃ，２１ｃにおいて、屋外側（連結金具２２，２３が化粧部２６から突出する側）が短辺、その逆側が長辺の台形状に形成されている点で異なる。
【００４１】
このように、入隅部２４に軒天見切部材１ａを設けるようにしても、軒天見切部材１と同様に、見栄えをよくすることができる扇状の化粧部２６と、直線的に延在する、立体形状の本体部２０，２１及び連結金具２２，２３とによって構成されることで、製造コストを低減することができる。
【００４２】
なお、上記実施形態においては、垂直に隣接する外壁パネル２の間に設けられた中心角９０度の出隅部４及び入隅部２４について説明したが、その中心角の角度は任意である。つまり、軒天見切部材１，１ａが出隅部４又は入隅部２４に沿って形成されていればよく、軒天見切部材１，１ａを構成する本体部１０，１１等や、連結金具１２、１３の数や大きさは、出隅部４及び入隅部２４の形状に合わせて任意に変更することが可能である。
【符号の説明】
【００４３】
１，１ａ  軒天見切部材
２  外壁パネル
３  軒天
３ａ  軒裏天井材
４  出隅部
５  上部押え板（返し部材）
６  取付ねじ
７  妻梁（建物の一部）
８  軒桁（建物の一部）
９  隙間隠し材
１０，１１  本体部
１０ｃ  被取付部（下面）
１１ａ  取付端
１１ｂ  傾斜部
１１ｃ  被取付部（下面）
１１ｄ  外側立設部
１１ｅ  外側押え部
１１ｆ  内側立設部
１１ｇ  水平支持部
１１ｈ  内側押え部
１１ｘ  収容部
１２，１３  連結金具（連結部材）
１３ａ  上側水平部
１３ａａ  建物側端部
１３ｂ  鉛直部
１３ｃ  下側水平部
１３ｄ  本体側端部（本体部に接続される端部）
１３ｅ  大孔
１３ｆ  小孔
１４  金具
１６  化粧部
１６ａ  内周面
１６ｂ  外周面
２０，２１  本体部
２０ｃ  被取付部
２１ｃ  被取付部
２２，２３  連結金具
２４  入隅部
２６  化粧部
Ｃ  中心点
Ｃ１，Ｃ２  当接部
Ｈ  建物
【図１】
0006795724.tif 000002
【図２】
0006795724.tif 000003
【図３】
0006795724.tif 000004
【図４】
0006795724.tif 000005
【図５】
0006795724.tif 000006